(57)【要約】  【課題】  いわゆるキャリア引きを防止するために感光面上に生成される帯状のトナー像に起因する画質の劣化を防止することのできる技術を提供する。  【解決手段】  感光体の感光面において、帯電器により帯電させる第１の領域が、該第１の領域内に形成される静電潜像を二成分現像剤により顕像化させるために現像器により所定の電位差を与える第２の領域の内側に位置するように設定されている画像形成装置であって、前記感光面に対して当接離間可能に配置され、前記二成分現像剤により顕像化された像を該感光面から所定の転写位置で転写される中間転写体と、前記感光面における前記第２の領域のうち前記第１の領域を除く領域が、前記所定の転写位置を通過する際に前記中間転写体を前記感光体から離間させる当接離間制御部とを備えてなる。  【選択図】  図１
2007304152.tif 000002
【特許請求の範囲】
【請求項１】
感光体の感光面において、帯電器により帯電させる第１の領域が、該第１の領域内に形成される静電潜像を二成分現像剤により顕像化させるために現像器により所定の電位差を与える第２の領域の内側に位置するように設定されている画像形成装置であって、
前記感光面に対して当接離間可能に配置され、前記二成分現像剤により顕像化された像を該感光面から所定の転写位置で転写される中間転写体と、
前記感光面における前記第２の領域のうち前記第１の領域を除く領域が、前記所定の転写位置を通過する際に前記中間転写体を前記感光体から離間させる当接離間制御部と
を備えてなる画像形成装置。
【請求項２】
請求項１に記載の画像形成装置において、
前記当接離間制御部は、前記感光面の移動方向における前記第２の領域の上流側端部と前記第１の領域の上流側端部との間の領域が、前記所定の転写位置を通過する際に前記中間転写体を前記感光体から離間させる画像形成装置。
【請求項３】
請求項２に記載の画像形成装置において、
前記感光面の移動方向における前記第１の領域の上流側端部から前記第２の領域の上流側端部までの間の領域に対して前記現像器によって所定の電位差を与える際に、前記現像器における前記二成分現像剤の供給動作を停止させる現像器制御部を備える画像形成装置。
【請求項４】
感光体の感光面において、帯電器により帯電させる第１の領域が、該第１の領域内に形成される静電潜像を二成分現像剤により顕像化させるために現像器により所定の電位差を与える第２の領域の内側に位置するように設定されている画像形成装置であって、
前記感光面に対して当接離間可能に配置され、前記二成分現像剤により顕像化された像を該感光面から所定の転写位置で転写される中間転写体と、
前記中間転写体に転写された前記二成分現像剤により顕像化された像をシートに対して転写する際に、所定の二次転写位置にて該シートを前記中間転写体に対して押圧する転写ローラと、
前記中間転写体に転写された像のうち前記第２の領域から前記第１の領域を除いた領域に対応する像が、前記所定の二次転写位置を通過する際に前記転写ローラを前記中間転写体から離間させる当接離間制御部と
を備えてなる画像形成装置。
【請求項５】
請求項４に記載の画像形成装置において、
前記当接離間制御部は、前記中間転写体に転写された像のうち前記感光面の移動方向における前記第２の領域の上流側端部と前記第１の領域の上流側端部との間の領域に対応する像が、前記所定の二次転写位置を通過する際に前記転写ローラを前記中間転写体から離間させる画像形成装置。
【請求項６】
請求項５に記載の画像形成装置において、
前記感光面の移動方向における前記第１の領域の上流側端部から前記第２の領域の上流側端部までの間の領域に対して前記現像器によって所定の電位差を与える際に、前記現像器における前記二成分現像剤の供給動作を停止させる現像器制御部を備える画像形成装置。
【請求項７】
請求項１乃至請求項６のいずれか１項に記載の画像形成装置において、
前記現像器は、前記感光面に対して所定の電位差を与えるとともに、周期的に変化する電圧を重畳的に印加するものであり、
前記感光面における前記第２の領域のうち前記第１の領域を除く領域が現像器を通過する際に、前記周期的に変化する電圧の印加を停止する電圧制御部を備える画像形成装置。
【請求項８】
請求項４乃至請求項６のいずれか１項に記載の画像形成装置において、
前記帯電器により帯電される前記感光面の電位差の絶対値と前記現像器により前記感光面に対して与える電位差の絶対値とが、前記転写ローラによる二成分現像剤のシートへの転写動作時の前記転写ローラと中間転写体の間の電位差と異なるように設定されている画像形成装置。
【発明の詳細な説明】
【技術分野】
【０００１】
本発明は、中間転写体を用いて二成分現像剤によりシートへの画像形成を行う画像形成装置に関し、特に中間転写体に対してシートを押圧する転写ローラへの現像剤の付着を防止する技術に関するものである。
【背景技術】
【０００２】
従来、トナーとキャリアからなる二成分現像剤によりシートへの画像形成を行う画像形成装置において、帯電器による感光体表面の帯電処理に先立って現像器による感光体表面への所定電位差の付与を開始し、帯電器による感光体表面の帯電処理の完了後に現像器による感光体表面への所定電位差の付与を完了させる（帯電器により帯電させる領域が、該領域内に形成される静電潜像を二成分現像剤により顕像化させるために現像器により所定の電位差を与える領域の内側に位置する）ことにより、感光体表面における帯電処理を施す領域の外側に現像方向の電界を形成する領域をつくり、意図的に帯状のトナー像（トナー帯とも呼ばれる）を形成させ、いわゆる「キャリア引き」の発生を防止する技術が知られる。
【０００３】
図８は、従来のキャリア引きの発生を防止するメカニズムを備える画像形成装置における、画像形成時の現像位置でみた感光体の表面電位と現像器により付与される電位の時間的変化を示す図である。同図において、斜線部分が上述の「帯状のトナー像」の部分である。
【０００４】
従来の画像形成装置では、上述のようにして意図的に帯状のトナー像を形成させることにより、「キャリア引き」による感光体表面における傷の発生を抑え、画像品質を保っていた。
【発明の開示】
【発明が解決しようとする課題】
【０００５】
感光体表面にトナー像を形成し、感光体上のトナー像を中間転写体に担持されたシートに対して直接転写する、いわゆる直接転写方式の画像形成装置の場合、上記従来の画像形成装置にて形成される「帯状のトナー像」が画像汚れとしてあらわれることは無かった。
【０００６】
しかし、感光体表面に形成したトナー像を、一時的に中間転写体に担持させた後、搬送されるシートを転写ローラにより中間転写体に対して押圧することにより該シートに中間転写体上のトナー像を転写させる構成の画像形成装置では、上述の「帯状のトナー像」のトナーが転写ローラのローラ面に付着してしまう場合があった。このように転写ローラに付着した不要なトナーは、中間転写体に対してシートを押圧する際にシートに付着し、画質劣化の原因となる場合がある。
【０００７】
本発明は上述した問題点を解決するためになされたものであり、いわゆるキャリア引きを防止するために感光面上に生成される帯状のトナー像に起因する画質の劣化を防止することのできる技術を提供することを目的とする。
【課題を解決するための手段】
【０００８】
上述した課題を解決するため、本発明に係る画像形成装置は、感光体の感光面において、帯電器により帯電させる第１の領域が、該第１の領域内に形成される静電潜像を二成分現像剤により顕像化させるために現像器により所定の電位差を与える第２の領域の内側に位置するように設定されている画像形成装置であって、前記感光面に対して当接離間可能に配置され、前記二成分現像剤により顕像化された像を該感光面から所定の転写位置で転写される中間転写体と、前記感光面における前記第２の領域のうち前記第１の領域を除く領域が、前記所定の転写位置を通過する際に前記中間転写体を前記感光体から離間させる当接離間制御部とを備えてなることを特徴とするものである。
【０００９】
また、本発明に係る画像形成装置は、感光体の感光面において、帯電器により帯電させる第１の領域が、該第１の領域内に形成される静電潜像を二成分現像剤により顕像化させるために現像器により所定の電位差を与える第２の領域の内側に位置するように設定されている画像形成装置であって、前記感光面に対して当接離間可能に配置され、前記二成分現像剤により顕像化された像を該感光面から所定の転写位置で転写される中間転写体と、前記中間転写体に転写された前記二成分現像剤により顕像化された像をシートに対して転写する際に、所定の二次転写位置にて該シートを前記中間転写体に対して押圧する転写ローラと、前記中間転写体に転写された像のうち前記第２の領域から前記第１の領域を除いた領域に対応する像が、前記所定の二次転写位置を通過する際に前記転写ローラを前記中間転写体から離間させる当接離間制御部とを備えてなることを特徴とするものである。
【発明の効果】
【００１０】
以上に詳述したように本発明によれば、いわゆるキャリア引きを防止するために感光面上に生成される帯状のトナー像に起因する画質の劣化を防止することのできる技術を提供することができる。
【発明を実施するための最良の形態】
【００１１】
（第１の実施の形態）
以下、本発明の第１の実施の形態について図面を参照しつつ説明する。図１は本実施の形態による画像形成装置Ｍの装置構成の概略を示す全体構成図であり、図２は画像形成装置Ｍにおけるブラックトナー用の感光体２０１Ｋ周辺の詳細な構成および動作について説明するための図である。
【００１２】
図１および図２に示すように、本実施の形態による画像形成装置Ｍは、いわゆる４連タンデム方式の画像形成装置であり、感光体２０１Ｙ〜感光体２０１Ｋ、レーザユニット２０２、中間転写ベルト（中間転写体）２０３、一次転写ローラ２０４Ｙ〜２０４Ｋ、二次転写ローラ（転写ローラ）２０５、レジストローラ２０６、用紙カセット２０７、定着器２０８、排紙トレイ２０９、当接離間制御部１０１、現像器制御部１０２、電圧制御部１０３、ＣＰＵ８０１およびＭＥＭＯＲＹ８０２を備えてなる構成となっている。ＣＰＵ８０１は、画像形成装置Ｍにおける各種処理を行う役割を有しており、またＭＥＭＯＲＹ８０２に格納されているプログラムを実行することにより種々の機能を実現する役割も有している。ＭＥＭＯＲＹ８０２は、例えばＲＯＭやＲＡＭ等から構成されており、画像形成装置Ｍにおいて利用される種々の情報やプログラムを格納する役割を有している。
【００１３】
ここで、当接離間制御部１０１は、中間転写ベルト２０３と感光体２０１Ｙ〜感光体２０１Ｋとの当接離間動作を制御する役割を有している。また、現像器制御部１０２は、各感光体２０１Ｙ〜２０１Ｋの感光面に沿ってそれぞれ配置される現像器におけるトナー供給動作（現像器に内蔵されるマグローラの回転駆動等）を制御する役割を有している。また、電圧制御部１０３は、二次転写ローラ２０５と転写ベルト２０３との間に印加される、いわゆる転写バイアスを制御する役割を有している。
【００１４】
以下、本実施の形態による画像形成装置Ｍにおけるシートへの画像形成処理の簡単な流れについて説明する。ここでは説明の便宜上、感光体周りの詳細な動作については感光体２０１Ｋに関してのみ説明するが、この動作は他の感光体２０１Ｙ〜２０１Ｃについても同様である。
【００１５】
画像形成処理が開始されると、まず、回転を開始した感光体２０１Ｋの感光面をクリーナ２０１Ｋによりクリーニングする。次に、感光体２０１Ｋの感光面の除電処理を行った後、帯電器２１１Ｋにより感光面の帯電処理を行う。続いて、レーザユニット２０２は、画像データに基づいて、感光体２０１Ｋの感光面の帯電処理が施された領域に対して露光処理を行い、当該感光面上に静電潜像を形成する。そして、現像器２１２Ｋにて上述の静電潜像をトナーとキャリアからなる二成分現像剤により顕像化させる。
【００１６】
中間転写ベルト（中間転写体）２０３は、一次転写ローラ２０４の移動により、感光体２０１Ｋに対して当接離間可能となっており、上述のようにして感光体２０１Ｋ上に形成されたトナー像は、中間転写ベルト２０３の感光体２０１Ｋへの当接時に、所定の転写位置Ｐ１にて感光面からベルト面へ転写される。
【００１７】
このようにして、中間転写ベルト２０３上に転写された各色のトナー像は、中間転写ベルト２０３のベルト面に対して当接離間可能に配置された二次転写ローラ２０５によって、所定の二次転写位置Ｐ２にて該ベルト面に対して押圧されるシートに対して転写される。
【００１８】
トナー像が転写されたシートは、定着器２０８にてトナー像を加熱定着され、排紙トレイ２０９に排出されて処理が完了する。
【００１９】
図３は本実施の形態による画像形成装置Ｍにおける駆動信号および制御信号のオンオフタイミングを示すタイミングチャートである。本実施の形態による画像形成装置Ｍでは、帯電器による帯電処理（いわゆる帯電高圧）開始に先立ち感光体の回転駆動と中間転写ベルト２０３の駆動が開始される。帯電器による帯電処理は感光体の回転が安定したタイミングで開始される。
【００２０】
現像器における現像処理のために所定の電位差を与える（いわゆる現像高圧）タイミングは、感光体の感光面の帯電処理の開始から現像位置までの移動時間Ｔｃｄ（図２参照）からマージン距離相当時間（α）だけ先行するタイミングとなっている。また、現像器におけるトナー供給動作の開始（現像器に内蔵されるマグローラの回転駆動等）は感光体の感光面の帯電処理の開始から現像位置までの移動時間Ｔｃｄからマージン距離相当時間（α）だけ遅れるタイミングとなっている。
【００２１】
一方、画像形成処理が完了し動作を終了する際は、現像器におけるトナー供給動作は帯電器による帯電処理の終了に同期して終了する。現像器における現像処理のための所定の電位差の付与は、感光体の感光面の帯電処理の開始から現像位置までの移動時間Ｔｃｄからマージン距離相当時間（α）分だけ遅れて完了する。このマージン距離相当時間（α）の区間で停止時の帯状のトナー像が発生する。その後、感光体の回転駆動と転写ベルト駆動をＯＦＦする。このように、現像器制御部１０２は、感光面の移動方向における第１の領域の上流側端部から第２の領域の上流側端部までの間の領域に対して現像器によって所定の電位差を与える際に、現像器における二成分現像剤の供給動作を停止させる。これにより、上述のマージン距離相当時間（α）の区間で、余分なトナーが感光体側に移動することを防ぐことができ、感光面上に形成される帯状のトナー像の濃度を低下させることができる。
【００２２】
本実施の形態による画像形成装置Ｍでは、上記のような制御を行うことにより、帯電器により帯電させる第１の領域が、該第１の領域内に形成される静電潜像を二成分現像剤により顕像化させるために現像器により所定の電位差を与える第２の領域の内側に位置することになり、キャリア引きを防止することができる。感光面における第２の領域のうち第１の領域を除く領域には、帯状のトナー像が形成される。
【００２３】
図４は、本発明の第１の実施の形態による画像形成装置Ｍにおける動作について説明するための図である。（１）は、待機時である。（２）は、当接離間制御部１０１によって感光体と中間転写ベルトが離間した状態となり、画像形成処理開始時に感光体上に形成された帯状のトナー像が一次転写位置Ｐ１を通過している状態を示す図である。この後、当接離間制御部１０１によって感光体と転写ベルトを当接させ、（３）の印字動作となる。印字動作終了時は（４）のように、当接離間制御部１０１によって感光体と転写ベルトを離間させた状態で、画像形成処理終了時に感光体上に形成された帯状のトナー像が一次転写位置Ｐ１を通過するようにする。このように、当接離間制御部１０１は、感光面における第２の領域のうち第１の領域を除く領域が、所定の転写位置を通過する際に中間転写ベルトを感光体から離間させる。以上の動作により画像形成処理の起動時および停止時に感光体上に形成される帯状のトナー像による画像汚れを防止することができる。
【００２４】
また、一般に、本実施の形態による画像形成装置の構成では、画像形成処理開始時に感光面上に生成される帯状のトナー像よりも、画像形成処理終了時に生成される帯状のトナー像の方が高濃度に形成されることが分かっている。当接離間制御部１０１は、感光面の移動方向における第２の領域の上流側端部と第１の領域の上流側端部との間の領域が、所定の転写位置を通過する際に中間転写ベルトを感光体から離間させるようにすることも可能となっている。これにより、少なくとも感光面上に高濃度に形成される帯状のトナー像による画質劣化を回避することができ、画質の向上に寄与することができる。
【００２５】
なお、当接離間制御部１０１は、例えば感光体に対する露光タイミングおよび感光体回転速度等に関する情報をＣＰＵ８０１から取得し、取得された情報に基づいて、感光体と転写ベルトを離間させるタイミングの判定を行なう構成となっている。
【００２６】
（第２の実施の形態）
続いて、本発明の第２の実施の形態について説明する。なお、本実施の形態は、上述した第１の実施の形態の変形例であるため、その基本的な装置構成は同じである。以下、すでに上述した部分と同様な機能を有する部分については同一符号を付し、説明は割愛する。
【００２７】
図５は、本発明の第２の実施の形態による画像形成装置Ｍにおける動作について説明するための図である。（１）は、待機時である。（２）は、画像形成処理開始時に感光体上に形成された帯状のトナー像が、当接離間制御部１０１によって離間している転写ローラ２０５の位置（所定の２次転写位置Ｐ２）を通過している状態を示す図である。この後、当接離間制御部１０１によって転写ベルトと２次転写ローラを当接させ、（３）の印字動作となる。印字動作終了時は（４）のように、当接離間制御部１０１によって転写ベルトと２次転写ローラを離間させた状態で、画像形成処理終了時に感光体上に形成された帯状のトナー像が２次転写位置Ｐ２を通過するようにする。
【００２８】
以上の動作により画像形成処理の起動時および停止時に感光体上に形成される帯状のトナー像による画像汚れを防止することができる。このように、当接離間制御部１０１は、中間転写ベルトに転写された像のうち第２の領域から第１の領域を除いた領域に対応する像が、所定の二次転写位置を通過する際に転写ローラを中間転写ベルトから離間させることもできる。
【００２９】
また、本実施の形態においても、画像形成処理開始時に感光面上に生成される帯状のトナー像よりも、画像形成処理終了時に生成される帯状のトナー像の方が高濃度に形成されるため、当接離間制御部１０１は、中間転写ベルト２０３に転写された像のうち感光面の移動方向における第２の領域の上流側端部と第１の領域の上流側端部との間の領域に対応する像が、所定の二次転写位置Ｐ２を通過する際に転写ローラを中間転写ベルト２０３から離間させるようにすることが好ましい。これにより、少なくとも感光面上に高濃度に形成される帯状のトナー像による画質劣化を回避することができ、画質の向上に寄与することができる。
【００３０】
また、現像器制御部１０２は、感光面の移動方向における第１の領域の上流側端部から第２の領域の上流側端部までの間の領域に対して現像器によって所定の電位差を与える際に、現像器における二成分現像剤の供給動作（マグローラの回転等）を停止させる。
【００３１】
なお、当接離間制御部１０１は、例えば感光体に対する露光タイミング、感光体回転速度および中間転写ベルト移動速度等に関する情報をＣＰＵ８０１から取得し、取得された情報に基づいて、中間転写ベルト２０３と二次転写ローラ２０５を離間させるタイミングの判定を行なう。また、現像器制御部１０２は、例えば感光体に対する露光タイミングおよび感光体回転速度等に関する情報をＣＰＵ８０１から取得し、取得された情報に基づいて、現像器におけるトナー供給動作を停止させるタイミングの判定を行なう。
【００３２】
（第３の実施の形態）
続いて、本発明の第３の実施の形態について説明する。なお、本実施の形態は、上述した各実施の形態の変形例であるため、その基本的な装置構成は同じである。以下、すでに上述した部分と同様な機能を有する部分については同一符号を付し、説明は割愛する。
【００３３】
図６は、本発明の第３の実施の形態による画像形成装置Ｍにおける動作について説明するための図である。（１）は、待機時である。このとき、中間転写ベルト２０３に対してＹ（イエロー）、Ｍ（マゼンタ）およびＣ（シアン）の感光体は離間しており、ブラック用の感光体のみが中間転写ベルト２０３に対して当接している。（２）、（３）は画像形成処理開始時に感光体上に形成された帯状のトナー像が中間転写ベルト２０３に付着している状態である。画像形成処理開始時のトナー帯は、以下の制御手順を行なうことで画像形成処理完了時のトナー帯に比べ大幅に低減されている。
【００３４】
図３に示すように、画像形成処理完了時の現像器は現像器駆動信号により感光体上の帯状のトナー像形成部分が現像器（現像ニップ）を通過するのに先立って停止している。この時の帯状のトナー像は、固定された現像ニップ部分のトナーにより形成されるということになり、現像ニップ部分のトナー量は他の部分に比べ少なくなる。現像器制御部１０２は、次の印刷動作が開始された時の現像器駆動の動作を、画像形成処理開始時の感光体上の帯状のトナー像形成部分が現像器（現像ニップ）を通過した後でＯＮさせる。つまり、前回印字動作終了時に帯状のトナー像を形成した現像ニップで再び次回印字開始時の帯状のトナー像を形成するため印字開始時の帯状のトナー像のトナー量を印字停止時の帯状のトナー像のトナー量よりも少なくすることができる。
【００３５】
（４）は印字動作中の状態である。シートに形成すべき画像は、画像形成処理開始時に形成される帯状のトナー像とは重ならないタイミングで書き込まれていく。画像形成処理終了時は（５）のように、当接離間制御部１０１によって、感光体２０１Ｙ、２０１Ｍおよび２０１Ｃは中間転写ベルト２０３から離間されており、Ｋ感光体は当接させた状態となっている。感光体２０１Ｙ、２０１Ｍおよび２０１Ｃについては、感光体と中間転写ベルト２０３を離間させてから画像処理完了時に形成される帯状のトナー像が１次転写ローラ位置を通過するようにし、感光体２０１Ｋは画像形成処理完了時の帯状のトナー像を中間転写ベルト２０３に対して転写する。中間転写ベルト２０３に転写された帯状のトナー像は、（６）のように転写ローラ２０５（二次転写位置Ｐ２）手前の位置で停止させる。当接離間制御部１０１は、転写ローラ２０５についても中間転写ベルト２０３の停止時には離間させておく。当接離間制御部１０１は、次回の画像形成処理時に、転写ベルト２０３上のトナー帯が二次転写位置Ｐ２を通過した後、転写ローラ２０５を転写ベルト２０３に当接させる。
【００３６】
以上の動作により画像形成処理開始時および画像形成処理完了時の帯状のトナー像による画像汚れを防止することができる。また、画像形成処理開始時に感光体に形成される帯状のトナー像を、画像形成処理開始時に転写ローラ２０５を転写ベルト２０３から離間させる必要がないため、印字動作開始から印字終了までの所要時間を短縮させることができる。
【００３７】
現像高圧として、感光面に対して所定の電位差を与えるとともに、周期的に変化する電圧を重畳的に印加する構成の画像形成装置においては、図３に示すように起動時および停止時の感光体上の帯状のトナー像形成部分（感光面における第２の領域のうち第１の領域を除く領域）が現像器（現像ニップ）を通過する際、電圧制御部１０３によって当該周期的に変化する電圧の印加を停止することで帯状のトナー像の発生量を低減することができる。
【００３８】
また、図７に示すように、感光体表面電位に影響する帯電高圧の絶対値（帯電器により帯電される感光面の電位差の絶対値）と現像高圧の直流成分の絶対値（現像器により感光面に対して与える電位差の絶対値）を印刷動作の電位条件（転写ローラによる二成分現像剤のシートへの転写動作時の転写ローラと中間転写ベルトの間の電位差）と異なる条件とすることで起動時に発生するトナー帯部分の現像電界を小さくすることも効果的である。図７に示す例では、画像形成処理開始時しか上記条件とはなっていないが、画像形成処理完了時においても同様の制御を行ってもよいことは言うまでもない。
【００３９】
画像形成処理開始時に感光面に形成された帯状のトナー像が、転写ローラ２０５を通過する際、転写ローラ２０５には用紙転写極性とは逆で且つ絶対値で用紙転写高圧（転写ローラによる二成分現像剤のシートへの転写動作時の転写ローラと中間転写ベルトの間の電位差）よりも小さく設定された定電流を印加することが好ましい。これは、転写ローラに印加する低電流が、用紙転写極性と同極性あるいは絶対値で転写高圧と同等以上となると、画像汚れに対して不利な（マージンが少ない）状態になることによる。
【００４０】
また、高圧印加の後、用紙転写に先立つタイミングで二次転写ローラ２０５１周以上用紙転写と同極性で用紙転写高圧と略同等の定電流を印加することがより好ましい。用紙転写前に両極性の定電流を二次転写ローラ２０５に印加することで転写ローラ表面に付着したトナーを効果的に取り除くことができ、これにより画像の裏汚れを更に防止することができる。
【００４１】
二次転写ローラ２０５に一定の定電流を印加しその時の電圧をモニタすることで、用紙転写時の電圧条件を決定する画像形成装置においては、用紙転写高圧（転写バイアス）と略同等の定電流を印加するとともに、この電圧モニタを兼用することで印字動作開始から印字終了までの所要時間を短くすることができる。
【００４２】
なお、図３および図７共に、現像器駆動ＯＦＦが帯電処理制御信号ＯＦＦに同期している例が記載されているが、現像器駆動ＯＦＦはこれに先立ってＯＦＦするようにしてもよい。例えば、印字終了後にトナー補給動作を行なう構成の場合は、トナー補給終了のタイミングで現像器駆動ＯＦＦを行なうことで不必要な現像剤攪拌を防止できこれにより現像剤の劣化を抑制することができる。
【００４３】
本発明を特定の態様により詳細に説明したが、本発明の精神および範囲を逸脱しないかぎり、様々な変更および改質がなされ得ることは、当業者には自明であろう。
【図面の簡単な説明】
【００４４】
【図１】本発明の第１の実施の形態による画像形成装置Ｍの装置構成の概略を示す全体構成図である。
【図２】画像形成装置Ｍにおけるブラックトナー用の感光体２０１Ｋ周辺の詳細な構成および動作について説明するための図である。
【図３】本発明の第１の実施の形態による画像形成装置Ｍにおける駆動信号および制御信号のオンオフタイミングを示すタイミングチャートである。
【図４】本発明の第１の実施の形態による画像形成装置Ｍにおける動作について説明するための図である。
【図５】本発明の第２の実施の形態による画像形成装置Ｍにおける動作について説明するための図である。
【図６】本発明の第３の実施の形態による画像形成装置Ｍにおける動作について説明するための図である。
【図７】本発明の第３の実施の形態による画像形成装置Ｍにおける駆動信号および制御信号のオンオフタイミングを示すタイミングチャートである。
【図８】従来の画像形成装置における、画像形成時の現像位置でみた感光体の表面電位と現像器により付与される電位の時間的変化を示す図である。
【符号の説明】
【００４５】
１０１  当接離間制御部、１０２  現像器制御部、１０３  電圧制御部、８０１  ＣＰＵ、８０２  ＭＥＭＯＲＹ。
【図１】
2007304152.tif 000003
【図２】
2007304152.tif 000004
【図３】
2007304152.tif 000005
【図４】
2007304152.tif 000006
【図５】
2007304152.tif 000007
【図６】
2007304152.tif 000008
【図７】
2007304152.tif 000009
【図８】
2007304152.tif 000010